(57)【要約】  本発明は配線を結束して整理するために用いるケーブルタイに関し、普段リール形態（３７０）で保管され、必要によって解いて配線を結束するベルト部（３１０）と、配線を結束したベルト部が解けないように固定する締結ヘッド部（３２０、４２０）とで構成される。本発明によれば、別途の道具なしに、配線を便利に整理することができ、従来のケーブルタイ（１００）のように、結束した後残ったベルト部分（１３０）を切って捨ててしまうことから活用されることができない部分が存在する無駄使いを解決することができる。また、従来のケーブルタイ（１００）の場合は、結束すべき配線の太さ別にそれに相応する別途のケーブルタイ（１１０、１２０）を使わなければならない短所があるが、本発明の場合は、配線を結束する時、必要なだけベルト部（３１０）を解いて配線を結束した後適切にベルト部（３１０）を締めて切断し、切り残る部分は再びリール（３７０）に巻き戻して保管することによって、配線整理作業の時各種ケーブルタイを常に所持しなければならない不便を解決し、使い残ったベルト部（３１０）を効果的に保管して管理することができるという長所がある。【選択図】図６
2013520954.tif 000002
【特許請求の範囲】
【請求項１】
電線または配線を取り囲むベルト部（３１０）と、前記電線または配線が前記ベルト部によって取り囲まれた状態で維持されるように、前記ベルト部を固定させる締結ヘッド部（３２０、４２０）とで構成されるケーブルタイにおいて、
前記ベルト部の両面には互いに異なる方向の鋸歯（３２３、３２４）が形成されており、前記ベルト部の開始端が前記締結ヘッド部の開始入口（３２９）を貫通して、前記電線または配線を取り囲んだ後、前記締結ヘッド部の最終入口（３３１）に挿入されて固定されることを特徴とするケーブルタイ。
【請求項２】
前記締結ヘッド部内で前記締結ヘッド部を貫通しているベルト部が前記締結ヘッド部内の空いた空間を減少することによって、整理すべき配線をベルト部が取り囲んだ後、前記ベルト部を前記締結ヘッド部の最終入口に挿入する時、前記最終入口に挿入した前記ベルト部が前記減少された締結ヘッド部内の空間に合わせられて抜けないように固定されることを特徴とする請求項１に記載のケーブルタイ。
【請求項３】
前記締結ヘッド部（３２０、４２０）は前記ベルト部（３１０）と別途に分離されることを特徴とする請求項１に記載のケーブルタイ。
【請求項４】
前記ベルト部の両面鋸歯が何れも陽刻に形成されることを特徴とする請求項１に記載のケーブルタイ。
【請求項５】
前記ベルト部の両面鋸歯が何れも陰刻に形成されることを特徴とする請求項１に記載のケーブルタイ
【請求項６】
前記ベルト部の一面の鋸歯は陽刻、反対面の鋸歯は陰刻に形成されることを特徴とする請求項１に記載のケーブルタイ。
【請求項７】
前記締結ヘッド部のベルト開始入口と最終入口が締結ヘッド部の互いに対向する面に置かれることを特徴とする請求項１に記載の締結ヘッド部を有するケーブルタイ。
【請求項８】
締結ヘッド部のベルト開始入口と最終入口が締結ヘッド部の同じ面に置かれることを特徴とする請求項１に記載の締結ヘッド部を有するケーブルタイ。
【請求項９】
前記締結ヘッド部の内側に形成された鋸歯（３２１）によって前記締結ヘッド部の最終入口（３３１）に挿入されたベルト部の鋸歯が係止されて抜けなくなり、前記締結ヘッド部の最終入口に挿入されたベルト部は前記締結ヘッド部の開始入口（３２９）を貫通したベルト部と前記締結ヘッド部の内部で接し、接した二つのベルト面の接合面での鋸歯が互いに係止されると、前記ベルト部が前記締結ヘッド部の開始入口を通じて貫通した方向の反対方向には締結ヘッド部を抜け出ることができるが、前記係止された状態では、前記ベルト部が前記締結ヘッド部の開始入口を通じて貫通した方向へはこれ以上貫通して進行できなくなることを特徴とする請求項７に記載のケーブルタイ。
【請求項１０】
前記締結ヘッド部の内部には前記締結ヘッド部の開始入口を通じて貫通して抜け出る前記ベルト部を収容する空間と、前記締結ヘッド部の最終入口を通じて再び挿入される前記ベルト部を収容する空間とを分離する分離板（４２５）があり、前記分離板には前記締結ヘッド部の最終入口に挿入される前記ベルト部を係止して抜けないように固定することができる鋸歯（４２６）が形成されており、前記分離板は前記鋸歯が形成されていない方が前記締結ヘッド部の本体に部分的に固定されて、弾性を有して鋸歯が形成された方は曲げられることができ、前記ベルト部が前記締結ヘッド部の最終入口に挿入されると、前記分離板に形成された前記鋸歯突起の高さと挿入されたベルト部の厚さによって前記鋸歯側の分離板部分が前記締結ヘッド部の開始入口の空間の方へ押されて曲げられ、前記締結ヘッド部は前記ベルト部が前記締結ヘッド部の最終入口に挿入されなかった時は、前記締結ヘッド部の開始入口を通じて前記ベルト部を貫通させることができ、前記ベルト部が前記締結ヘッド部の最終入口に挿入されると、前記締結ヘッド部の分離板に形成された鋸歯が前記締結ヘッド部の最終入口に挿入された前記ベルト部の当接する面にある鋸歯と噛み合って、締結ヘッド部の最終入口に挿入した方向の反対方向へベルト部が抜けないように固定させ、前記ベルト部が前記締結ヘッド部の最終入口に挿入されると前述した通り、前記締結ヘッド部の分離板の鋸歯の高さと締結ヘッド部の最終入口に挿入したベルト部の厚さによって前記分離板が締結ヘッド部内のベルト貫通空間の方へ押されて曲げられ、その結果、前記締結ヘッド部の開始入口を貫通しているベルト部を前記曲げられた分離板が圧迫して押すようになり、前記貫通しているベルト部の鋸歯と前記分離板の角部分が互いに噛み合って、前記締結ヘッド部の開始入口を貫通しているベルト部が前記締結ヘッド部を貫通している逆方向に引かれて抜けることはできるが、これ以上貫通して通ることはできないように固定されることを特徴とする請求項８に記載のケーブルタイ。
【請求項１１】
前記締結ヘッド部には前記締結ヘッド部の最終入口に挿入された前記ベルト部が前記締結ヘッド部を逸脱して突出されないように防止するストッパー壁が形成されることを特徴とする請求項９に記載のケーブルタイ。
【請求項１２】
前記締結ヘッド部には前記締結ヘッド部の最終入口に挿入された前記ベルト部が前記締結ヘッド部を逸脱して突出されないように防止するストッパー壁が形成さることを特徴とする請求項１０に記載のケーブルタイ。
【請求項１３】
複数の配線を束ねるベルト部（３１０）を固定させる締結ヘッド部（３２０）の構成において、
前記締結ヘッド部（３２０）の内部には前記ベルト部が貫通されることができる貫通空間と前記貫通空間を通って結束すべき配線を取り囲んだベルト部開始端（３２７）が前記貫通しているベルト部と重ねられたまま挿入されることができる空間があり、前記締結ヘッド部の内部面には前記挿入されたベルト部の開始端が抜けないように固定させる内部鋸歯（３２１）が形成されることを特徴とする締結ヘッド部（３２０）を備えるケーブルタイ。
【請求項１４】
複数の配線を束ねるベルト部（３１０）を固定させる締結ヘッド部（４２０）の構成において、
前記締結ヘッド部（４２０）内には前記ベルト部が貫通されることができるように貫通空間があり、前記貫通空間に沿って分離板（４２５）が形成され、前記分離板の一側端には鋸歯（４２６）が形成されることを特徴とする締結ヘッド部（４２０）を備えるケーブルタイ。
【請求項１５】
前記分離板（４２５）は前記締結ヘッド部（４２０）の内側面の一部のみに連結されるように構成されて、弾性を有することを特徴とする請求項１４に記載のケーブルタイ。
【発明の詳細な説明】
【技術分野】
【０００１】
本発明は複数のケーブル、配線を結束して整理するためのケーブルタイに関する。さらに詳しくは、結束しようとするケーブルや物体の太さに影響されないで、所望の長さだけ調節して便利に結束することができるケーブルタイとケーブルタイ装置に関する。
【背景技術】
【０００２】
ケーブルタイは散らばっている複数の配線を結束して固定するために一般の家庭や産業現場で広く使われる。
【発明の概要】
【発明が解決しようとする課題】
【０００３】
従来のケーブルタイは、図１ａ及び図１ｂのように、配線を囲むベルト部１４０とベルト部１４０が滑らないように固定する締結ヘッド部１５０とが一体に構成されて、結束しようとする配線の太さによって、それと適する長さの短いケーブルタイ１２０若しくは長いケーブルタイ１１０のような複数のケーブルタイ製品を種類別に使用しなければならない不便な点と、配線を結束して残ったベルト部部分１３０を切断して捨てなければならない無駄使いを誘発する短所があり、これにより、産業現場や家庭で配線整理作業後カッティングして捨てられたベルト残余部を掃除しなければならないという不便がある。
【０００４】
このような短所を部分的に解決するための韓国特許第０８４５５７９号明細書によれば、図２ａ、図２ｂ、図２ｃに示したように、締結ヘッド部２０２にベルト部開始端３２７を固定して結束すべき配線の周長を考慮して、必要なだけベルトを切断して配線を取り囲んで結束した後、切ったベルト部端部３２８を締結ヘッド部２０２に固定するように設計されていて、結果的にベルト部を必要なだけ切断して使うことができるようにして捨てられるベルト部を減少させることができるようにした。
【０００５】
しかし、最終締結前にリール３７０形態や保管結束状態でまずベルト部を切断した後で締結ヘッド部に最終締結が可能であるため、結束すべき配線の周長を正確に測定しないと、先に切断したベルト部を締結ヘッド部に挿入した後、これを挿入した方向へ引き続き引っ張って配線を締めなければならなく、締め付けた後には、やはり不必要なベルト部が締結ヘッド部２０２を通過して突出されるようになり、この部分１３０はやはり整理作業の性格上切断して捨てなければならず、無駄使いの要素になる。
【０００６】
また、結束すべき配線の周長を予め正確に測定したとしてもその長さだけ正確に切断したベルト部のみで配線を結束して整理作業をするには、ベルト部の端部を持って強く引っ張って結束すべき配線を取り囲んだ後、締結ヘッド部に挿入しなければならないため、作業の便宜性が低下する問題がある。
【０００７】
このように、従来のケーブルタイは、無駄使いされる部分があり、また、それを部分的に改善した従来の技術も無駄使いされる部分を完全に解決できていない。
【０００８】
また、従来の普遍的なケーブルタイは、締結ヘッド部の形状の製作と、コストを考慮して、ＰＶＣなどその他形質合成樹脂を材料として射出成形方式で一括製作されることが一般的である。この場合、その材質特性によって、ベルト部の柔軟性が低下されて、配線を結束する作業をする時不便をもたらし、ベルト部自体の太さが太くなって整理作業を終わらせた配線束の全体太さが増加されて、整理作業が終わった配線束の嵩が大きくなる短所がある。
【０００９】
前述した問題点を解決するために、本発明は結束整理作業をする対象配線の数や太さに関らず使用者の必要によって配線整理作業をすることができ、整理作業後捨てられる切断したベルト部によって発生される無駄使い要素を根本的に解決することを目的とする。
【課題を解決するための手段】
【００１０】
前述した問題点を解決するために、本発明はベルト部と締結ヘッド部を分離し、ベルト部の両面に鋸歯を形成し、ベルト部両面の鋸歯を効果的に利用することができる締結ヘッド部を構成して、整理作業が必要な配線を結束する時、まずベルト部を締結ヘッド部を通じて貫通させた後、整理する配線を囲んでベルト部の開始端を締結ヘッド部に固定させる方法を用いて作業の便宜性を図り、無駄使いされる部分を完全に解決する。
【発明の効果】
【００１１】
本発明によれば、配線整理作業で結束する配線類の太さと数に関係なく必要なだけの長さで正確に配線整理作業をすることができ、カッティング作業後、捨てられるベルト部を完全に無くすことができる。
【図面の簡単な説明】
【００１２】
【図１ａ】従来のケーブルタイを示す図面である。
【図１ｂ】従来のケーブルタイを示す図面である。
【図２ａ】従来のベルト部と締結部が分離されたケーブルタイの考案を示す図面である。
【図２ｂ】従来のベルト部と締結部が分離されたケーブルタイの考案を示す図面である。
【図２ｃ】従来のベルト部と締結部が分離されたケーブルタイの考案を示す図面である。
【図３】本発明の好ましい実施例によるケーブルタイのベルト部を示す図面である。
【図４】本発明の好ましい実施例によるケーブルタイのベルト部の断面を示す図面である。
【図５】本発明の好ましい実施例によるケーブルタイの締結ヘッド部を示す図面である。
【図６】本発明の好ましい実施例によるケーブルタイの使用状態を示す図面である。
【図７】本発明の好ましい実施例によるケーブルタイの使用段階を示す図面である。
【図８】本発明の好ましいまた他の実施例によるケーブルタイの締結ヘッド部を示す図面である。
【図９】本発明の好ましいまた他の実施例によるケーブルタイの締結ヘッド部を曲線面に沿って部分的に切断して示す図面である。
【図１０】本発明の好ましいまた他の実施例によるケーブルタイの使用状態を示す図面である。
【図１１】本発明の好ましいまた他の実施例によるケーブルタイの使用段階を示す図面である。
【発明を実施するための形態】
【００１３】
図６は本発明の好ましい実施例によるケーブルタイのベルト部３１０と締結ヘッド部３２０を用いて整理作業が必要な配線を取り囲んで結束した後、ベルト部３１０を締結ヘッド部３２０の最終入口３３１に挿入する前と後を示す斜視図である。
【００１４】
本発明の好ましい実施例による締結ヘッド部３２０の開始入口３２９と最終入口３３１は締結ヘッド部３２０で対向する面に置かれている。ベルト部３１０は締結ヘッド部３２０の開始入口３２９を通過して結束すべき配線を取り囲んだ後、最終入口３３１を通じて締結ヘッド部３２０に挿入されて固定される。
【００１５】
ベルト部３１０が締結ヘッド部３２０の最終入口３３１に挿入固定される時には、整理作業が必要な配線を取り囲んで重ねられたベルト部３１０の間の当接する接触面の間の鋸歯方向が互いに噛み合って、ベルト部の開始端３２７を締結ヘッド部３２０の最終入口３３１を通じてストッパー壁３２６に当接するように押し入れることは難しいので、ベルト部開始端３２７を締結ヘッド部の最終入口３３１に容易に挿入可能なだけ押し入れた後、当接して重ねられたベルト部３１０を取って締結ヘッド部３２０を重ねられたベルト部３１０の方向に押せば、締結ヘッド部３２０が動きながら当接して重ねられたベルト部３１０を締結ヘッド部３２０の内部に収容しながら、結果的にベルト部開始端３２７は締結ヘッド部内のストッパー壁３２６に当接され、これによって締結ヘッド部３２０の内部に挿入されたベルト部開始端３２７は締結ヘッド部内の鋸歯３２１にかかって抜けなくなる。
【００１６】
ベルト部開始端３２７が締結ヘッド部内の鋸歯３２１にかかって固定されると、締結ヘッド部３２０を貫通しているベルト部３１０は当接されるベルト部開始端３２７との重ねられた面で鋸歯同士が互いに噛み合う状態を保持して、これ以上ベルト部３１０は開始入口３２９を通過して締結ヘッド部３２０を貫通して通ることができなくなるが、締結ヘッド部３２０を貫通して通ったベルト部３１０を、開始入口３２９を通過した反対方向に引いて抜き取ることはできるので、作業の便宜性のために充分な長さを以って締結ヘッド部３２０を貫通して通って解けて、整理作業が必要な配線を取り囲んだベルト部３１０を再び締結ヘッド部開始入口３２９の通過方向の反対方向に引いて抜き取れば整理されるべき配線が前記配線を取り囲んだベルト部３１０によって締め付けられ、整理されるべき配線が適宜締められた後、締結ヘッド部３１０に固定されているベルト部３１０を開始入口３２９の直前で切断すれば、配線整理作業にちょうど必要な長さだけのベルト部３１０を使い、残ったベルト部３１０は再びリール３７０に巻き戻すことができる。
【００１７】
図８は本発明の好ましいまた他の実施例による締結ヘッド部４２０を示す２次元図面である。本発明の好ましいまた他の実施例による締結ヘッド部４２０では、ベルト部３１０が締結ヘッド部４２０を初めて通過して通る入口である開始入口３２９とベルト部３１０が最終締結ヘッド部４２０に最終的に挿入される入口である最終入口３３１が互いに同じ面に置かれている。締結ヘッド部４２０の内部にはベルト部３１０が開始入口３２９を通過して通る空間とベルト部３１０が最終入口３３１に挿入されて収容される空間を分離する分離板４２５があり、前記分離板４２５の開始入口３２９と最終入口３３１側の末端には最終入口３３１の通過空間方向に鋸歯４２６が形成されている。締結ヘッド部４２０内の分離板４２５は開始入口３２９と最終入口３３１の方がある締結ヘッド部４２０の反対面壁または前記側面壁の一部のみに部分的に連結されていて、開始入口３２９と最終入口３３１側にある分離板の最終鋸歯４２６部分は開始入口３２９の貫通空間や最終入口３３１の挿入空間に曲がることができ、弾性を有している。
【００１８】
本発明の第１の目的によれば、使用者が所望なだけ切断して使うことができるようにする両面に互いに異なる方向の鋸歯を有するベルト部３１０、前記ベルト部の両端を効果的に結束する締結ヘッド部３２０、４２０、分離された締結ヘッド部３２０、４２０を便利にベルト部３１０と結束して配線を束ねたベルト部を適宜締めた後切断して使うことができることを特徴とするケーブルタイを提供する。
【００１９】
本発明の第２の目的によれば、配線を結束するために、リール３７０形態に巻かれているベルト部３１０を必要な長さに予め切らなくても良いように、まず、リール３７０から必要なだけまた作業に便利なだけの長さにベルト部３１０を解いて前記解けて出たベルト部の開始端３２７を締結ヘッド部３２０、４２０の貫通入口３２９（以下「開始入口」と称する）を通じて貫通させた後結束する配線１６０を締結ヘッド部３２０、４２０を貫通したベルト部３１０で取り囲んだ後、ベルト部３１０の開始端３２７を締結ヘッド部３２０、４２０の最終安着位置入口３３１（以下「最終入口」と指称）に挿入して固定させた後、前記締結ヘッド部３２０、４２０を貫通して通らないベルト部３１０を締結ヘッド部を貫通した方向の反対方向に再び引っ張って配線１６０を取り囲んでいるベルト部３１０を適宜締めることができるようにして、作業の便利性から、整理すべき配線１６０を束ねるのに必要な長さ以上に解けたベルト部３１０を貫通して通過した締結ヘッド部３２０、４２０から再び抜いてリール３７０に巻き戻すことができ、このようにすることによって、配線を束ねるのに必要な長さだけベルト部３１０を用いた後切断して、便利で無駄使いが発生しない配線整理方法を提供する。
【００２０】
本発明の第３の目的によれば、従来のケーブルタイのベルト部と締結ヘッド部の役割を本発明の分離されたベルト部３１０と締結ヘッド部３２０、４２０で取り替えることで、従来のケーブルタイが締結ヘッド部の形状を製作するために、硬質ＰＶＣ射出成形方法でベルト部が一緒に一体型に製造されたことから起因する一体型ベルト部の柔軟性の低下及び太さが太い短所を克服し、ベルト部を個別的に製造することで多様な材料を使用可能になり、薄くて軽いながらも高い引張強度を有する材料で嵩の小さいベルト部を製作することができる。これによって、配線結束作業に多量のケーブルタイが必要になっても、嵩の小さいリール３７０形態で便利に所持することができるという長所を提供する。
【００２１】
以下、本発明の好ましい実施例を添付された図面を参照して詳しく説明する。まず、各図面の構成要素に参照符号を付けるにおいて、同じ構成要素に対しては他の図面上に表示されても同じ符号を付けるようにしている。また、本発明を説明する際に、係わる公知構成または機能に対する具体的な説明が本発明の要旨を曖昧にする虞があると判断される場合には、その詳細な説明は省略する。
【００２２】
図１ａ及び図１ｂは従来技術によるケーブルタイの構成を示す斜視図である。図１ａは長さの短い従来のケーブルタイと長さの長いケーブルタイを示す斜視図である。従来のケーブルタイは結束する配線が太い場合、相対的に長い１１０のようなケーブルタイを用い、結束配線が薄い場合、相対的に短い１２０のようなケーブルタイを選択的に用いる。
【００２３】
図１ｂは従来のケーブルタイで結束作業をする状態を示す斜視図である。従来のケーブルタイは、ベルト部１４０と締結ヘッド部１５０とが一体に構成されており、配線を結束した後１３０のように不必要な残りベルト部が存在する。
【００２４】
図２ａは一般的なケーブルタイを部分的に改善したまた他の従来の締結ヘッド部とベルト部が分離されたケーブルタイ斜視図である。
【００２５】
図２ｂは一般的なケーブルタイを部分的に改善したまた他の従来の締結ヘッド部とベルト部が分離された前記ケーブルタイで配線を結束した状態を示す斜視図である。分離された締結ヘッド部２０２にベルト部の開始端３２７を固定させ、ベルト部で結束する配線を取り囲んだ後切断したベルト部末端３２８を締結ヘッド部２０２に適切に挿入貫通させて引いて固定することで結束作業が終わる。その後、必要によって残ったベルト部分１３０は切断して捨てることによって結束整理作業が完了される。
【００２６】
図２ｃは一般的なケーブルタイを部分的に改善したまた他の従来の締結ヘッド部とベルト部が分離された前記ケーブルタイで配線を結束する状態を示す断面図である。断面図から確認できるように、ベルトの末端３２８が締結ヘッド部２０２に固定されるためには、その末端がリール３７０形態を有することができず、予め切断されている状態にした後で締結ヘッド部２０２に挿入して固定することができる。このような特性によって前述したように締結した後切断されて捨てられる部分を完全に取り除くことが困難であり、予め正確な長さに切断して捨てられる部分を取り除いたとしても配線整理作業の便宜性は大きく低下されるしかない。
【００２７】
図３は本発明の好ましい実施例によるケーブルタイのベルト部３１０を示す斜視図である。ベルト部の両面には互いに方向の異なる鋸歯が形成されており、本発明の好ましい実施例による締結ヘッド部３２０のように用いられる場合と本発明のまた他の実施例による締結ヘッド部４２０のように用いられる場合によってリール３７０に巻かれる方向が互いに異なる。
【００２８】
図４は図３に示す本発明の好ましい実施例によるケーブルタイのベルト部３１０を点線ＡＢに沿って切断した断面図である。断面図で示すように、ベルト部３１０は方向が互いに異なる３２３と３２４のような鋸歯を両面に有している。
【００２９】
図５は本発明の好ましい実施例によるケーブルタイの締結ヘッド部３２０を示す２次元図面である。図面のように、本発明の好ましい実施例によるケーブルタイの締結ヘッド部３２０は内部に前記ベルト部３１０が開始入口３２９方向に貫通して整理作業が必要な配線を取り囲んで束ねた後再び最終入口３３１方向に挿入されることができる空間を有している。また、前記締結ヘッド部３２０はその内部面に鋸歯３２１が形成されていて、最終入口３３１方向に挿入されたベルト部３１０が抜けないように設計されており、最終入口３３１に挿入されたベルト部３１０は締結ヘッド部３２０内のストッパー壁３２６に塞がれて突出されないで締結ヘッド部の中に固定される。
【００３０】
図６は本発明の好ましい実施例によるケーブルタイのベルト部３１０と締結ヘッド部３２０を用いて整理作業が必要な配線を取り囲んで束ねた後、ベルト部３１０を締結ヘッド部３２０の最終入口３３１に挿入する前と後を示す斜視図である。
【００３１】
本発明の好ましい実施例による締結ヘッド部３２０の開始入口３２９と最終入口３３１は締結ヘッド部３２０で互いに対向する面に置かれている。
【００３２】
ベルト部３１０は締結ヘッド部３２０の開始入口３２９を通過して結束する配線を取り囲んだ後、最終入口３３１を通じて締結ヘッド部３２０に挿入されて固定される。
【００３３】
ベルト部３１０が締結ヘッド部３２０の最終入口３３１で挿入されて固定される場合には、整理作業が必要な配線を取り囲んで重ねられたベルト部３１０の間の当接する接触面の間の鋸歯方向が互いに噛み合って、ベルト部開始端３２７を締結ヘッド部３２０の最終入口３３１を通じてストッパー壁３２６に触れるように押し入れることは困難であるため、ベルト部開始端３２７を締結ヘッド部の最終入口３３１に容易に挿入可能な程度だけ押し入れた後、当接して重ねられたベルト部３１０を取って締結ヘッド部３２０を重ねられたベルト部３１０の方向に押せば、締結ヘッド部３２０が動きながら当接して重ねられたベルト部３１０を締結ヘッド部３２０の内部に収容しながら、結果的にベルト部開始端３２７は締結ヘッド部内のストッパー壁３２６に当接され、このように、締結ヘッド部３２０の内部に挿入されたベルト部開始端３２７は締結ヘッド部内の鋸歯３２１に係止されて抜けなくなる。
【００３４】
ベルト部開始端３２７が締結ヘッド部内の鋸歯３２１に係止されて固定されると、締結ヘッド部３２０を貫通しているベルト部３１０は当接するベルト部開始端３２７との重ねられた面で鋸歯同士が互いに噛み合う状態を保持して、これ以上ベルト部３１０は開始入口３２９を通過して締結ヘッド部３２０を貫通して通ることができなくなるが、締結ヘッド部３２０を貫通して通ったベルト部３１０を開始入口３２９を通過した反対方向に引いて抜き取ることはできるので、作業の便宜性のために充分な長さを以って、締結ヘッド部３２０を貫通して解けて、整理作業が必要な配線を取り囲んだベルト部３１０を再び締結ヘッド部の開始入口３２９の通過方向の反対方向に引いて抜けば整理すべき配線が前記配線を囲んだベルト部３１０によって締め付けられ、整理すべき配線が適宜締め付けられた後には、締結ヘッド部３１０に固定されているベルト部３１０を開始入口３２９の直前で切断すれば、配線整理作業に必要な長さだけのベルト部３１０を使い、残ったベルト部３１０は再びリール３７０に巻き戻すことができる。
【００３５】
図７は本発明の好ましい実施例によるベルト部３１０と締結ヘッド部３２０を用いて整理すべき配線を束ねる作業順序を示す順序図である。順序図３０１の状態のように、リール３７０形態に巻かれているベルト部を解いて開始端３２７を締結ヘッド部３２０の開始入口３２９を通じて貫通させて、３０２のような状態にした後、結束すべき配線を取り囲んだ後、３０３のように、締結ヘッド部３２０を配線を取り囲んで重ねられているベルト部３１０に向けて押し入れて、３０４状態のような固定された結び目を形成する。次に、束ねた配線の太さに合わせて、ベルト部３１０を締結ヘッド部３２０を貫通して通った反対方向に再び適宜引いて締結ヘッド部３２０から抜き取って結び目を締めて配線結束作業を仕上げた後、締結ヘッド部３２０の開始入口３２９の前でリールに巻かれた状態で連結されたベルト部３１０を切断して配線整理作業を仕上げる。
【００３６】
図８は本発明の好ましいまた他の実施例による締結ヘッド部４２０を示す２次元図面である。本発明の好ましいまた他の実施例による締結ヘッド部４２０では、ベルト部３１０が締結ヘッド部４２０を初めて通過して通る入口である開始入口３２９とベルト部３１０が最終締結ヘッド部４２０に最終的に挿入される入口である最終入口３３１が互いに同じ面に置かれている。締結ヘッド部４２０の内部にはベルト部３１０が開始入口３２９を通過して通る空間とベルト部３１０が最終入口３３１に挿入されて収容される空間を分離する分離板４２５があり、前記分離板４２５の開始入口３２９と最終入口３３１側の端部には最終入口３３１の通過空間方向に鋸歯４２６が形成されている。締結ヘッド部４２０内の分離板４２５は開始入口３２９と最終入口３３１がある締結ヘッド部４２０の反対面壁または前記側面壁の一部のみに部分的に連結されていて、開始入口３２９と最終入口３３１側にある分離板の最終鋸歯４２６部分は開始入口３２９の貫通空間や最終入口３３１の挿入空間に曲がることができ、弾性を有している。
【００３７】
図９は本発明の好ましいまた他の実施例による締結ヘッド部４２０の立体的特性をさらによく示すために曲線面に沿って締結ヘッド部４２０を部分的に切断した状態を示す斜視図である。
【００３８】
図１０は本発明の好ましいまた他の実施例による締結ヘッド部４２０と前記ベルト部３１０を用いて整理作業が必要な配線を取り囲んで束ねた後、ベルト部３１０を締結ヘッド部４２０の最終入口３３１に挿入する前と後を示す斜視図である。
【００３９】
ベルト部３１０は開始入口３２９を通じて締結ヘッド部４２０を貫通して整理作業が必要な配線を取り囲んだ後、再び締結ヘッド部４２０の最終入口３３１を通じて挿入されて固定される。
【００４０】
整理作業が必要な配線を結束するために、ベルト開始端３２７を締結ヘッド部４２０の開始入口３２９を通じて貫通させる時は、締結ヘッド部４２０内の分離板４２５が貫通方向に平行する状態で、ベルト部３１０が締結ヘッド部４２０を通過するのに必要な十分な空間が確保されて、ベルト部３１０が開始入口３２９を通過して締結ヘッド部４２０を貫通するのに全く問題がない。
【００４１】
このように貫通させたベルト部３１０で整理作業が必要な配線を取り囲んだ後、ベルト開始端３２７を締結ヘッド部４２０の最終入口３３１に挿入すれば、締結ヘッド部４２０内の分離板４２５の端部に形成された鋸歯４２６によって挿入されたベルト開始端３２７が抜けないように固定される。
【００４２】
そして、ベルト開始端３２７を最終入口３３１を通じて締結ヘッド部４２０の内部に挿入することによって、締結ヘッド部４２０内の分離板４２５端部の鋸歯４２６が挿入されたベルト部３１０の厚さによって押されるので、分離板が４２５が締結ヘッド部４２０内の開始入口３２９の貫通空間の方に押されて曲げられ、曲げられた分離板４２５の開始入口３２９側の角部が締結ヘッド部４２０の開始入口３２９を通じて貫通しているベルト部３１０を圧迫し、同時に貫通しているベルト部３１０の鋸歯突起に係止されてベルト部３１０がこれ以上開始入口３２９を通じて貫通した方向に抜けることができなくなる。しかし、前記状態で、締結ヘッド部４２０を貫通しているベルト部３１０の鋸歯と前記ベルト部の鋸歯に係止される分離板４２５の角の間の方向特性上、ベルト部３１０が締結ヘッド部４２０の開始入口３２９を通じて貫通して抜け出た反対方向に再び抜き取ることはできる。このように配線を取り囲んで結び目が締結された状態で、作業の便宜性のために充分な長さを以って締結ヘッド部４２０を貫通して解けて整理作業が必要な配線を取り囲んだベルト部３１０を再び締結ヘッド部４２０の開始入口３２９の通過方向の反対方向に引いて抜き取れば整理すべき配線が前記配線を取り囲んだベルト部３１０によって締め付けられ、整理すべき配線が適宜締め付けられた後、締結ヘッド部４２０に固定されているベルト部３１０を開始入口３２９の直前で切断すれば、配線整理作業に必要な長さだけのベルト部３１０を使い、残ったベルト部３１０は再びリール３７０に巻き戻すことができる。
【００４３】
図１１は本発明の好ましいまた他の実施例によるベルト部３１０と締結ヘッド部４２０を用いて整理すべき配線を結束する作業順序を示す順序図である。図１１のベルトリール３７０に巻かれているベルト部３１０の方向は、図７のベルトリール３７０に巻かれているベルト部３１０と方向が反対に巻かれている。順序図４０１の状態のように、リール３７０形態に巻かれているベルト部３１０を解いて、その開始端３２７を締結ヘッド部４２０の開始入口３２９を通じて貫通させて結束する配線を取り囲んだ後、締結ヘッド部４２０の最終入口３３１にベルト部３１０の開始端３２７を挿入して４０２の状態のようにする。次に、作業の便宜性のために、整理すべき配線を余裕を以って取り囲むために、締結ヘッド部４２０を貫通して通ったベルト部３１０を結束する配線の太さに合わせるように、締結ヘッド部４２０の開始入口３２９を通過して通った方向の反対方向に締結ヘッド部４２０から引いて抜き取る。このように、ベルト部３１０を引いて抜き取れば、整理すべき配線を取り囲んだベルト部３１０が配線を適宜締め付けて結束し、適宜締め付けられた状態で締結ヘッド部４２０に固定されたベルト部３１０を締結ヘッド部４２０の開始入口３２９の直前で切断することによって、配線整理作業を仕上げる。作業が終わって残ったベルト部３１０は捨てられる部分が全くなく、再びリール３７０に巻いて保管する。
【００４４】
以上の説明は本発明の技術思想を例示的に説明したものに過ぎなく、本発明が属する技術分野において通常の知識を有する者であれば本発明の本質的な特性から逸脱しない範囲で多様な修正及び変形が可能である。従って、本発明に開示された実施例は本発明の技術思想を限定するためではなく説明するためのもので、このような実施例によって、本発明の技術思想の範囲が限定されるのではない。本発明の保護範囲は特許請求の範囲によって解釈すべきであり、それと同等な範囲内にあるすべての技術思想は本発明の権利範囲に含まれるものと解釈すべきである。
【産業上の利用可能性】
【００４５】
本発明は各種ケーブルを用いる各種製造業製品を製造する過程において、ケーブルを整理するために用いられることができ、家庭用としても用いることが可能である。
【図１ａ】
2013520954.tif 000003
【図１ｂ】
2013520954.tif 000004
【図２ａ】
2013520954.tif 000005
【図２ｂ】
2013520954.tif 000006
【図２ｃ】
2013520954.tif 000007
【図３】
2013520954.tif 000008
【図４】
2013520954.tif 000009
【図５】
2013520954.tif 000010
【図６】
2013520954.tif 000011
【図７】
2013520954.tif 000012
【図８】
2013520954.tif 000013
【図９】
2013520954.tif 000014
【図１０】
2013520954.tif 000015
【図１１】
2013520954.tif 000016
【国際調査報告】
2013520954.tif 000017
2013520954.tif 000018
2013520954.tif 000019
2013520954.tif 000020